(57)【要約】【課題】  比較的簡単かつ安価に製造でき、しかも、一般の光反射式の光学式マウスに対して応答性のよい光学式マウス用パッドを提供する。【解決手段】  基材シート１１と、基材シート１１上に前後左右方向に広がって形成され、隣り合う凸部のピッチが１．５ｍｍ以下の金属製の凹凸反射皮膜又は一辺が１．５ｍｍ以下の光沢性を有する光反射片からなる乱反射部材１２と、この乱反射部材１２の上にコーティングされ、表面は実質的に平面状に形成された硬質の合成樹脂等からなる透明皮膜１３とを有する。【選択図】        図１
0003111263.tif 000002
【実用新案登録請求の範囲】
【請求項１】
基材シートと、
前記基材シート上に前後左右方向に広がって形成され、隣り合う凸部のピッチが１．５ｍｍ以下の金属製の凹凸反射皮膜と、
前記凹凸反射皮膜の上にコーティングされ、表面は実質的に平面状に形成された透明皮膜とを有することを特徴とする光学式マウス用パッド。
【請求項２】
請求項１記載の光学式マウス用パッドにおいて、前記凹凸反射皮膜はアルミニウムの蒸着膜からなることを特徴とする光学式マウス用パッド。
【請求項３】
請求項１及び２のいずれか１項に記載の光学式マウス用パッドにおいて、前記凹凸反射皮膜は、前記基材シートに粘着剤を介して接合されていることを特徴とする光学式マウス用パッド。
【請求項４】
請求項３記載の光学式マウス用パッドにおいて、前記基材シートの裏面には、該光学式マウス用パッドを載せる対象物に剥離可能に接合する接合部が形成されていることを特徴とする光学式マウス用パッド。
【請求項５】
請求項１〜４のいずれか１項に記載の光学式マウス用パッドにおいて、前記凹凸反射皮膜には特定の写実模様、幾何学模様、及び文字の１又は２以上からなる模様が記載されていることを特徴とする光学式マウス用パッド。
【請求項６】
基材シートと、
前記基材シート上に万遍なく散布して固定された一辺が１．５ｍｍ以下の光沢性を有する光反射片と、
前記光反射片の上にコーティングされて、表面は実質的に平面状に形成された透明皮膜とを有することを特徴とする光学式マウス用パッド。
【請求項７】
請求項６記載の光学式マウス用パッドにおいて、前記光反射片は金属箔小片、又は表面が着色された合成樹脂シート小片からなることを特徴とする光学式マウス用パッド。
【請求項８】
請求項７記載の光学式マウス用パッドにおいて、前記基材シートの裏面には、該光学式マウス用パッドを載せる対象物に剥離可能に接合する接合部が形成されていることを特徴とする光学式マウス用パッド。
【請求項９】
請求項６〜８のいずれか１項に記載の光学式マウス用パッドにおいては、前記基材シート上に散布されている光反射片によって、特定の写実模様、幾何学模様、及び文字の１又は２以上からなる模様が形成されていることを特徴とする光学式マウス用パッド。
【考案の詳細な説明】
【技術分野】
【０００１】
本考案は、パソコン等に接続される光学読み取り式のマウス（以下、単に「光学式マウス」という）を動かす場合に使用するマウスパッドに関する。
【背景技術】
【０００２】
例えば、従来の光学式マウスとしてはＸラインパターンを検出するためのＸライン検出部とＹラインパターンを検出するためのＹライン検出部とを有し、マウス内に配置された発光ダイオードから可視光線又は赤外光線をマウスパッドに照射し、その反射光をＸライン検出部とＹライン検出部に当てて、マウスの水平方向の前後（Ｙ方向）と左右（Ｘ方向）の移動量を検知し、これをパソコンに入力するものであった。
このような光学式マウスに使用するパッドとしては、例えば、特許文献１に記載のものが知られており、透明なガラス基体の表裏にそれぞれＸ方向及びＹ方向のラインを規定するラインパターンを形成し、最上部には耐摩耗性のハードコート膜が形成されたものが提案されている。
【０００３】
【特許文献１】特開平５−３４６８３５号公報
【考案の開示】
【考案が解決しようとする課題】
【０００４】
しかしながら、前記特許文献１に記載のマウスパッドはその構造が複雑で製造原価も上昇し、しかも中間部にガラスを用いているので、その厚みも大きくなって、例えば、通常作業机等の上に載せている透明なビニールシートの下に敷くことはできないという問題がある。
【０００５】
本考案はかかる事情に鑑みてなされたもので、比較的簡単かつ安価に製造でき、しかも、一般の光反射式の光学式マウスに対して応答性のよい光学式マウス用パッドを提供することを目的とする。
【課題を解決するための手段】
【０００６】
前記目的に沿う第１の考案に係る光学式マウス用パッドは、基材シートと、前記基材シート上に前後左右方向に広がって形成され、隣り合う凸部のピッチが１．５ｍｍ以下の金属製の凹凸反射皮膜と、前記凹凸反射皮膜の上にコーティングされ、表面は実質的に平面状に形成された透明皮膜とを有する。ここで、金属製の凹凸反射皮膜は、アルミニウムの蒸着膜からなるのがよい。また、第１の考案の光学式マウス用パッドにおいて、前記凹凸反射皮膜は、前記基材シートに粘着剤を介して接合されているのが好ましく、従来から使用されているメタリックフィルム、ホログラムフィルム等をそのまま使用することもできる。そして、更に好ましくは、前記凹凸反射皮膜には特定の写実模様、幾何学模様、及び文字の１又は２以上からなる模様が記載されているのがよい。
【０００７】
また、前記目的に沿う第２の考案に係る光学式マウス用パッドは、基材シートと、前記基材シート上に万遍なく散布して固定された一辺が１．５ｍｍ以下の光沢性を有する光反射片と、前記光反射片の上にコーティングされて、表面は実質的に平面状に形成された透明皮膜とを有する。ここで、前記光反射片は金属箔小片、又は表面が着色された合成樹脂シート小片からなるものを使用するのがよい。この光学式マウス用パッドに、従来から使用されているグリッターフィルム（製品名）等をそのまま使用できる。また、前記基材シート上に散布されている光反射片によって、例えば、特定の写実模様、幾何学模様、及び文字の１又は２以上からなる模様を形成することもできる。この場合、光反射片の色彩や反射率を変えて模様を形成することになる。
【０００８】
なお、第１の考案に係る光学式マウス用パッドにおいては、金属性の凹凸反射皮膜が、第２の考案に係る光学式マウス用パッドにおいては、基材シート上に万遍なく散布された光反射片の集合が乱反射部材となって、光学式マウス用パッドから照射された光を効率よく反射する。
そして、第１、第２の考案に係る光学式マウス用パッドにおいて、前記基材シートの裏面には、該光学式マウス用パッドを載せる対象物に剥離可能に接合する接合部が形成されているのがより好ましい。この場合、対象物に剥離可能に接合する接合部は、基材シートの裏面側に接着剤を塗布して形成してもよいし、場合によって裏面に予め剥離可能な接合性を有する処理が行われている基材シートを使用してもよい。
【考案の効果】
【０００９】
請求項１〜５記載の光学式マウス用パッドは、基材シート上に前後左右方向に広がって形成され、隣り合う凸部のピッチが１．５ｍｍ以下の金属製の凹凸反射皮膜を有しているので、光学式マウスから照射される光がこの凹凸反射皮膜に反射するが、この場合、凹凸状況によって反射する光の量が異なる、即ち乱反射となるので、これに光学式マウスが反応する。この場合、凹凸反射皮膜は金属からなっているので、その角度によって大きく反射率が異なりより感度のよいマウスパッドとなる。また、表面は実質的に平面状に形成された透明皮膜によって覆われているので、マウス操作時に雑音等がなく、円滑なマウス操作が可能となる。
特に、請求項２記載の光学式マウス用パッドにおいては、凹凸反射皮膜はアルミニウムの蒸着膜からなるので、光反射率がよく、更には凹凸が光の光軸から外れる場合には反射光は無くなり、実質的に凹凸部分によってマウスへの受光度合いが大きく変化するので、より高感度なマウスパッドとなる。
【００１０】
請求項３記載の光学式マウス用パッドにおいては、凹凸反射皮膜は、基材シートに粘着剤を介して接合されているので、接合性がよく基材シートを曲げても凹凸反射皮膜が剥離する恐れがない。
請求項４記載の光学式マウス用パッドは、基材シートの裏面には、光学式マウス用パッドを載せる対象物に剥離可能に接合する接合部が形成されているので、この光学式マウス用パッドを所定の場所に固定することができ、これによってマウス操作が容易になると共に、容易に剥がして他の場所に移動することもできる。
請求項５記載の光学式マウス用パッドにおいて、凹凸反射皮膜には特定の写実模様、幾何学模様、及び文字の１又は２以上からなる模様が記載されているので、装飾美を醸し出しマウスパッドの購買意欲を高めることができる。
【００１１】
請求項６〜９記載の光学式マウス用パッドは、基材シートと、基材シート上に万遍なく散布して固定された一辺が１．５ｍｍ以下の光沢性を有する光反射片と、光反射片の上にコーティングされて、表面は実質的に平面状に形成された透明皮膜とを有するので、光学式マウスから照射される光が光反射片に反射し、この光反射片の不均一な傾き等によって反射光が乱反射となるので、これに光学式マウスが反応する。また、表面は実質的に平面状に形成された透明皮膜によって覆われているので、マウス操作時に雑音等がなく、円滑なマウス操作が可能となる。
【００１２】
請求項７記載の光学式マウス用パッドは、光反射片が金属箔小片、又は表面が光沢着色された合成樹脂シート小片からなるので、通常の非金属性物質（例えば、紙、プラスチック、ゴム）等に比較して反射率が高くなり、光学式マウス用パッドの反応性が向上する。
請求項８記載の光学式マウス用パッドは、基材シートの裏面には、光学式マウス用パッドを載せる対象物に剥離可能に接合する接合部が形成されているので、この光学式マウス用パッドを所定の場所に固定することができ、これによってマウス操作が容易になると共に、容易に剥がして他の場所に移動することもできる。
【００１３】
請求項９記載の光学式マウス用パッドは、基材シート上に散布されている光反射片によって、特定の写実模様、幾何学模様、及び文字の１又は２以上からなる模様が形成されているので、マウスパッドの商品価値が向上し、更には複数の異なる模様の商品を造ることによって、商品の購買意欲が向上する。
【考案を実施するための最良の形態】
【００１４】
続いて、添付した図面を参照しつつ、本考案を具体化した実施の形態につき説明し、本考案の理解に供する。
ここで、図１（Ａ）は本考案の第１の実施の形態に係る光学式マウス用パッドの平面図、（Ｂ）は同断面図、図２、図３は本考案の他の実施の形態に係る光学式マウス用パッドの断面図である。図４（Ａ）は本考案の第２の実施の形態に係る光学式マウス用パッドの平面図、（Ｂ）は同断面図である。
なお、図１（Ａ）、（Ｂ）、図２、図３、図４（Ａ）、（Ｂ）はその構成を明確にするため拡大表示している。
【００１５】
図１に示すように、本考案の第１の実施の形態に係る光学式マウス用パッド１０は、折り曲げ可能な材質からなる基材シート１１と、基材シート１１上に前後左右方向に広がって形成されたアルミニウム製の凹凸反射皮膜１２と、凹凸反射皮膜１２の上に形成された透明皮膜１３を有している。以下、これらについて詳しく説明する。
基材シート１１は厚みが、例えば０．０５〜０．１ｍｍ程度の十分な強度を有する紙又は合成樹脂シート（例えば、合成紙、天然紙、ナイロン、ゴム、ウレタン）からなっている。この上に熱硬化性又は熱可塑性の粘着剤層１４を介して凹凸反射皮膜１２が形成されている。この凹凸反射皮膜１２はこの実施の形態においては、アルミニウムの蒸着によって形成されている。
【００１６】
そして、アルミニウムが蒸着されることによって表面に凹凸が前後左右に広がって形成されるが、隣り合う凸部の距離Ｐは１．５ｍｍ以下、例えば、０．０２〜０．５ｍｍ程度となっている。これによって上方の光学式マウスからの光は、凹凸反射皮膜１２に当たって反射する。しかし、マウスから照射される光に対して凹凸反射皮膜１２の一部（即ち、水平になっている面）からの反射はマウスに届くが、他の傾斜面から反射する光は周囲に発散するので、マウスに届かない。従って、マウスを動かした場合には、凹凸反射皮膜１２に形成された凹凸によって反射光の強さを大きく増減させて、Ｘ及びＹ方向のセンサーから信号として取り出すことができる。
なお、凹凸反射皮膜１２の隣合う凸部の距離が１．５ｍｍを超えると、マウスからの出力信号が粗くなって、実用上好ましくない。更に、隣り合う凸部の距離Ｐは１ｍｍ以下、０．５ｍｍ以下（更には、０．１ｍｍ以下）にすると更に好ましい。
また、この蒸着によって形成された凹凸反射皮膜１２をプレス等で押圧して表面に、特定の写実模様、幾何学模様、及び文字の１又は２以上からなる模様を記載することもできる。この場合でも、一旦凹凸が形成されたアルミ蒸着膜はこのようなプレス加工を行っても表面が鏡面となることはない。
【００１７】
この凹凸反射皮膜１２の上には、表面が平面状に形成された比較的摩耗に強いＰＰ（ポリプロピレン）フィルム、ＰＶＣフィルムあるいはＯＰＰフィルム等の透明皮膜１３をコーティングする。このようにして、全体の厚みが０．１〜０．６ｍｍ程度の光学式マウス用パッド１０を形成する。なお、光学式マウス用パッド１０の全体の厚みは用途に応じて例えば０．６ｍｍを超える厚み、具体的には１〜３ｍｍとすることもできる。
この場合、基材シート１１の裏面には再剥離可能な、即ち繰り返し接着及び剥離が可能な接着剤（粘着剤）１６を塗布した接合部を形成する。なお、必要な場合にはこの接着剤１６の裏面側に離形紙（接着防止用シート）を貼着しておいてもよく、必要な場合にのみ離形紙を剥がしてこの光学式マウス用パッド１０を所定の場所（対象物）に貼着する。なお、この光学式マウス用パッド１０の構造は一般に販売されているホログラムフィルムと同一の構造としてもよい。
【００１８】
従って、本考案の第１の実施の形態に係る光学式マウス用パッド１０を使用する場合には、机の上にこの光学式マウス用パッド１０を置き、その上に光学式マウスを置いて移動させると、光学式マウスから照射される光が明るくなったり暗くなったりするので、これをＸＹ方向に分けて電気信号として取り出す。なお、この光学式マウス用パッド１０を固定して使用する場合には、例えば、裏面の離形紙を剥がして所定の場所に、この光学式マウス用パッド１０を貼り付けることになる。
【００１９】
図２、図３に示す本考案の他の実施の形態に係る光学式マウス用パッド１８、１９について説明するが、光学式マウス用パッド１８は、紙、合成樹脂シート等からなる薄い基材シート２０の上に粘着剤２１を介してアルミ蒸着層（凹凸反射皮膜）２２が形成され、その上を透明樹脂からなるコーティング層２３及び透明のＰＥＴフィルム２４によって覆われている。この場合、表面が平坦となったＰＥＴフィルム２４が硬質透明（透明皮膜）層を構成するので、マウスを当てても傷が付きにくいという利点がある。
【００２０】
また、図３に示す光学式マウス用パッド１９については、薄い基材シート２５の上に粘着剤２６を介してアルミ蒸着層２７（凹凸反射皮膜）が形成され、その上にＰＶＣアクリル共重合体からなる表面が平坦となった透明皮膜層２８が形成されている。このような複合シートは一般にメタリックフィルムとして販売されているので、それを転用することもでき、結果として安価に光学式マウス用パッドを提供できる。
【００２１】
続いて、図４（Ａ）、（Ｂ）に示す本考案の第２の実施の形態に係る光学式マウス用パッド３０について説明する。
図４（Ａ）に示すように、本考案の第２の実施の形態に係る光学式マウス用パッド３０は、折り曲げ可能な材質からなる基材シート３１と、基材シート３１上に前後左右方向に広がって散布固定された一辺が１．５ｍｍ以下の光沢性を有する光反射片３２と、この多数の光反射片３２の上にコーティング状態で形成された透明皮膜３３を有している。以下、これらについて詳しく説明する。
基材シート３１は、前記基材シート１１と実質同一物でよく、例えば厚みが０．０５〜０．５ｍｍ程度の十分な強度を有する紙又は合成樹脂シートからなっている。この上に熱硬化性又は熱可塑性の接着剤３４を介して光反射片３２が接合されている。
【００２２】
この光反射片３２は、アルミニウム薄片（金属箔小片の一例）を細かく裁断したものであってもよいし、薄い合成樹脂フィルム（例えば、ポリエステルシート、塩化ビニール等）の両面に光沢性を有する塗装（色は自由であるが、例えば、金、銀、白、黄色、薄青、薄緑、薄ピンク等）を施し、これを、例えば、三角形、四角形、六角形等に裁断した合成樹脂シート小片であってよい。裁断する片の大きさは前述のように最大寸法が１．５ｍｍ以下、例えば、０．２〜１ｍｍ程度に裁断するのがよい。この場合、接着材３４は透明なものを使用するのがよい。
光反射片３２は隙間無く散布、即ち散りばめられた状態で、基材シート３１の上に接合されている。この基材シート３１の上には、表面が平面状に形成された比較的摩耗に強いＰＰ（ポリプロピレン）フィルム、ＰＶＣフィルムあるいはＯＰＰフィルム等の透明皮膜３３がコーティングされている。これによって、全体の厚みが例えば、０．２〜１ｍｍ程度の光学式マウス用パッド３０が形成されている。なお、光学式マウス用パッド３０の全体の厚みは用途に応じて例えば１ｍｍを超える厚み、具体的には１〜３ｍｍとすることもできる。この場合は、基材シート３１の厚みを厚くするのが製造が簡単であり、取扱い等も容易となる。
基材シート３１の裏面には、第１の実施の形態に係る光学式マウス用パッド１０と同様に、再剥離可能な、即ち繰り返し接着及び剥離が可能な接着剤（粘着剤）３５を塗布した接合部を形成しておく。
【００２３】
この光学式マウス用パッド３０の使用にあっては、光反射片３２によて形成される凹凸が前後左右に広がっているので、光学式マウス（以下、単に「マウス」ともいう）から照射される光に対して乱反射し、マウスの移動に応じて光学式マウス用パッドに入光する反射光の強さが変わることになる。従って、マウスを動かすと、そのＸ軸とＹ軸の移動成分から、Ｘ及びＹ方向の移動信号を取り出すことができる。
なお、光反射片３２の大きさが１．５ｍｍを超えると、マウスからの出力信号が粗くなって、実用上好ましくない。この場合、光反射片３２の大きさは小さい程好ましいことになるが、例えば、０．０５ｍｍ未満にすると、マウスの少しの移動距離に対して多数の凹凸信号が発生することになるので、０．０５ｍｍ以上とするのがよい。
この光反射片３２は接着材３４で基材シート３１に接合するために、又は接合した後に、平板によって押圧し、表面を滑らかにしてもよく、その上から透明の合成樹脂からなる透明皮膜を形成してもよい。なお、光反射片によって、特定（例えば、アニメのキャラクター）の写実模様、幾何学模様、及び文字の１又は２以上からなる模様を形成することもできる。
なお、光学式マウス用パッド３０（詳細には、基材シート３１）の裏面には、即ち繰り返し接着及び剥離が可能な接着剤（粘着剤）３５が塗布されているので、机等の表面に簡単に接合し、また、剥がして別の場所に移動することができる。
【００２４】
第１の実施の形態においては、凹凸反射皮膜をアルミ蒸着層によって形成した例を示したが、その他の金属蒸着層によって形成してもよく、更には、最初に凹凸加工（エンボス加工）をした金属フィルム（例えば、アルミフィルム）を用意し、これを基材シートに貼着してもよい。
また、第１の実施の形態では凹凸反射皮膜は蒸着によっているので、極めてランダムな凹凸に形成されているが、薄い金属皮膜にレーザー加工を行って規則正しい凹凸又はランダムな凹凸をその模様と共に形成した場合も本考案は適用される。
また、前記第１、第２の実施の形態における光学式マウス用パッドは、４隅を円弧状に加工した矩形形状であったが、好みに応じて菱形、円、楕円等に形成する場合も本考案は適用される。
【図面の簡単な説明】
【００２５】
【図１】（Ａ）は本考案の第１の実施の形態に係る光学式マウス用パッドの平面図、（Ｂ）は同断面図である。
【図２】本考案の他の実施の形態に係る光学式マウス用パッドの断面図である。
【図３】本考案の他の実施の形態に係る光学式マウス用パッドの断面図である。
【図４】（Ａ）は本考案の第２の実施の形態に係る光学式マウス用パッドの平面図、（Ｂ）は同断面図である。
【符号の説明】
【００２６】
１０：光学式マウス用パッド、１１：基材シート、１２：凹凸反射皮膜、１３：透明皮膜、１４：粘着剤層、１６：接着剤、１８、１９：光学式マウス用パッド、２０：基材シート、２１：粘着剤、２２：アルミ蒸着層、２３：コーティング層、２４：ＰＥＴフィルム、２５：基材シート、２６：粘着剤、２７：アルミ蒸着層、２８：透明皮膜層、３０：光学式マウス用パッド、３１：基材シート、３２：光反射片、３３：透明皮膜、３４、３５：接着剤
【図１】
0003111263.tif 000003
【図２】
0003111263.tif 000004
【図３】
0003111263.tif 000005
【図４】
0003111263.tif 000006